(57)【要約】【課題】電気機器の造営材に対する取り付けの自由度を向上すること。【解決手段】電気機器の取付カバー２００は、電気機器が取り付けられるカバー本体２０１と、取付部２０３と、を備える。カバー本体２０１は、一方向において電気機器の一部が通る開口、及び一方向において開口と対向する底壁２０３を有する。取付部２０３は、底壁２０３であって、造営材に取り付けられる。取付部２０３は、一対の取付孔２０４からなる取付孔群２０Ａ，…，２０Ｄを有している。一対の取付孔２０４は、一方向から見てカバー本体２０１の中心Ｃ１を挟んで対向し、カバー本体２０１を造営材に取り付けるための取付ねじが挿入される。取付孔群２０Ａ，…，２０Ｄは複数である。複数の取付孔群２０Ａ，…，２０Ｄは、一方向から見て、カバー本体２０１の径方向Ｄ２に並んでいる。【選択図】図１
2019046946.tif 000002
【特許請求の範囲】
【請求項１】
一方向において電気機器の一部が通る開口、及び前記一方向において前記開口と対向する底壁を有し、前記電気機器が取り付けられるカバー本体と、
前記底壁であって、造営材に取り付けられる取付部と、を備え、
前記取付部は、前記一方向から見て前記カバー本体の中心を挟んで対向し、前記カバー本体を前記造営材に取り付けるための取付ねじが挿入される一対の取付孔からなる取付孔群を有しており、
前記取付孔群は複数であって、
前記複数の取付孔群は、前記一方向から見て、前記カバー本体の径方向に並んでいる
電気機器の取付カバー。
【請求項２】
前記複数の取付孔群のうち２以上の取付孔群は、前記一方向から見て、前記カバー本体の周方向に並んでいる
請求項１記載の電気機器の取付カバー。
【請求項３】
前記カバー本体に設けられて、前記一方向から見て前記カバー本体の中心を挟んで対向する一対の機器取付部を更に備え、
前記２以上の取付孔群は、
前記一方向から見て前記一対の機器取付部を結ぶ第１直線と直交する第２直線上に位置する取付孔群と、
前記一方向から見て前記第１直線と所定の角度をなす第３直線上に位置する取付孔群と、を有する
請求項２記載の電気機器の取付カバー。
【請求項４】
前記２以上の取付孔群のうち１以上の取付孔群において、前記一対の取付孔は、それぞれ前記一方向から見て、前記カバー本体の周方向に前記取付ねじの径よりも長い所定長さを有している
請求項２又は３に記載の電気機器の取付カバー。
【請求項５】
前記２以上の取付孔群のうち１以上の取付孔群において、前記一対の取付孔は、それぞれ前記一方向から見て、前記カバー本体の周方向に並ぶ複数の孔を有している
請求項２又は３に記載の電気機器の取付カバー。
【請求項６】
請求項１乃至５のいずれか１項に記載の電気機器の取付カバーに取り付けられる
電気機器。
【請求項７】
請求項１乃至５のいずれか１項に記載の電気機器の取付カバーに取り付けられる電気機器であって、
検知エリア内における人の存否を検知する機能を備え、
前記検知エリアは、前記一方向から見て多角形状である
人検知センサ。
【発明の詳細な説明】
【技術分野】
【０００１】
本開示は、一般に電気機器の取付カバー、電気機器、及び人検知センサに関し、より詳細には、造営材に取り付けられ、かつ、電気機器が取り付けられる電気機器の取付カバー、電気機器、及び人検知センサに関する。
【背景技術】
【０００２】
従来、人体から放射される熱線を検知する熱線センサを有する熱線センサ付自動スイッチが知られており、例えば特許文献１に開示されている。特許文献１に記載の熱線センサ付自動スイッチは、熱線センサが収納されるハウジングを備えている。ハウジングは、天井材に固定される本体部と、天井材に設けられた埋込穴に収納される端子台部と、を有している。この熱線センサ付自動スイッチは、埋込配設用のスイッチボックスに端子台部を収納した状態で、スイッチボックスに取り付けられる。
【先行技術文献】
【特許文献】
【０００３】
【特許文献１】特開２００９−１２９６９２号公報
【発明の概要】
【発明が解決しようとする課題】
【０００４】
特許文献１に記載の熱線センサ付自動スイッチ（電気機器）は、造営材である天井材に対して取り付けることは可能であるが、例えば配線ダクト等の他の造営材に取り付けることができないという問題があった。
【０００５】
本開示は、上記の点に鑑みてなされており、電気機器の造営材に対する取り付けの自由度を向上することのできる電気機器の取付カバー、電気機器、及び人検知センサを提供することを目的とする。
【課題を解決するための手段】
【０００６】
本開示の一実施形態に係る電気機器の取付カバーは、電気機器が取り付けられるカバー本体と、取付部と、を備える。前記カバー本体は、一方向において前記電気機器の一部が通る開口、及び前記一方向において前記開口と対向する底壁を有する。前記取付部は、前記底壁であって、造営材に取り付けられる。前記取付部は、一対の取付孔からなる取付孔群を有している。前記一対の取付孔は、前記一方向から見て前記カバー本体の中心を挟んで対向し、前記カバー本体を前記造営材に取り付けるための取付ねじが挿入される。前記取付孔群は複数である。前記複数の取付孔群は、前記一方向から見て、前記カバー本体の径方向に並んでいる。
【０００７】
本開示の一実施形態に係る電気機器は、上記の電気機器の取付カバーに取り付けられる。
【０００８】
本開示の一実施形態に係る人検知センサは、上記の電気機器の取付カバーに取り付けられる電気機器である。前記人検知センサは、検知エリア内における人の存否を検知する機能を備える。前記検知エリアは、前記一方向から見て多角形状である。
【発明の効果】
【０００９】
本開示は、電気機器の造営材に対する取り付けの自由度を向上することができる、という利点がある。
【図面の簡単な説明】
【００１０】
【図１】図１は、本開示の一実施形態に係る電気機器の取付カバーの上面図である。
【図２】図２は、同上の電気機器の取付カバー、及び電気機器の分解斜視図である。
【図３】図３は、同上の電気機器である赤外線検出装置の検知エリアの説明図である。
【図４】図４は、同上の電気機器の取付カバー、及び電気機器を天井材に取り付ける場合の説明図である。
【図５】図５は、同上の電気機器の取付カバー、及び電気機器を第１配管に取り付ける場合の説明図である。
【図６】図６は、同上の電気機器の取付カバー、及び電気機器を第２配管に取り付ける場合の説明図である。
【図７】図７は、本開示の一実施形態の変形例に係る電気機器の取付カバーの一部省略した上面図である。
【発明を実施するための形態】
【００１１】
以下、本実施形態の電気機器３００の取付カバー２００、及び電気機器３００について図１〜図３を用いて説明する。図１に示す「Ｄ２」、「Ｄ３」の矢印、図２に示す「Ｄ１」の矢印、及び図３に示す矢印は、いずれも説明のために表記しているに過ぎず、実体を伴わない。図４〜図６の「Ｄ１」の矢印も同様である。
【００１２】
本実施形態では、電気機器３００は、赤外線検出装置１００である。赤外線検出装置１００は、検知エリアＡ１（図３参照）内の人体検知を行う赤外線式人体検知装置である。つまり、赤外線検出装置１００は、検知エリアＡ１における熱源（例えば、人）の存否を検知する機能を有する人検知センサである。
【００１３】
（１）赤外線検出装置の概要
赤外線検出装置１００は、図２に示すように、複数（図示では１つ）の赤外線センサ２と、複数の赤外線透過部材３と、ハウジング４と、遮光板９と、を備える。複数の赤外線透過部材３は、複数の赤外線センサ２それぞれの前方に１つずつ配置されている。ハウジング４は、複数の赤外線センサ２を収容し、複数の赤外線透過部材３を保持している。遮光板９は、赤外線を遮光する。遮光板９は、複数の赤外線透過部材３のうち２つの赤外線透過部材３それぞれに重なって配置されている。これにより、赤外線検出装置１００の検知エリアＡ１は、赤外線検出装置１００の遮光板９を外した状態での検知エリアＡ１よりも狭くなる。
【００１４】
また、赤外線検出装置１００は、電源回路モジュールと、複数の赤外線センサ２を含むセンサモジュールと、を更に備えている。電源回路モジュールは、外部電源（例えば、商用電源）から供給される交流電圧を所定の直流電圧に変換してセンサモジュールへ供給する。電源回路モジュール及びセンサモジュールは、ハウジング４に収容されている。
【００１５】
また、赤外線検出装置１００は、例えば取付カバー２００に取り付けるための取付装置２０を更に備えている。言い換えれば、赤外線検出装置１００（電気機器３００）は、取付カバー２００に取り付けられる。取付カバー２００は、造営材４００（図４〜図６参照）に取り付けられる。造営材４００は、天井材、壁材などの建物の構造物の一部を含んでいる他、建物の構造物に取り付けられる埋込型のスイッチボックス、電線管、配線ダクト、金属線ぴ等も含んでいる。
【００１６】
（２）赤外線検出装置の各構成要素
（２．１）赤外線センサ
赤外線センサ２は、焦電素子と、信号処理部と、実装基板と、パッケージと、を有する。焦電素子は、クワッドタイプの焦電素子である。焦電素子は、赤外線を受光し、受光した赤外線量の変化に応じて電流信号を出力する。信号処理部は、焦電素子の出力信号を信号処理する。信号処理部は、ＩＣ素子（ＩＣ：Integrated Circuit）を含んでいる。信号処理部は、電流電圧変換回路と、電圧増幅回路と、判定回路と、出力回路と、を含んでいる。電流電圧変換回路は、焦電素子から出力される出力信号である電流信号を電圧信号に変換して出力する回路である。電圧増幅回路は、電流電圧変換回路から出力された電圧信号のうち所定の周波数帯域（例えば、０．１Ｈｚ〜１０Ｈｚ）の電圧信号を増幅して出力する回路である。電圧増幅回路は、バンドパスフィルタとしての機能を有する。バンドパスフィルタとしての機能は、電流電圧変換回路から出力された電圧信号のうち上記所定の周波数帯域の成分を通過させ、かつ雑音となる不要な周波数成分を除去する機能である。判定回路は、電圧増幅回路から出力される電圧信号と予め設定された閾値とを比較し電圧信号が閾値を超えたか否かを判定する回路である。出力回路は、判定回路において電圧信号が閾値を超えたと判定されたときに人体検知信号を出力信号として出す回路である。
【００１７】
焦電素子及び信号処理部は、実装基板に実装されている。実装基板は、例えば、成形基板である。パッケージは、所謂キャンパッケージ（Can Package）である。
【００１８】
（２．２）赤外線透過部材
赤外線透過部材３は、合成樹脂成形品である。赤外線透過部材３の材料は、例えば、ポリエチレンである。より詳細には、赤外線透過部材３の材料は、白色顔料が添加されたポリエチレンである。白色顔料は、例えば、酸化チタンである。赤外線透過部材３は、成形法により形成されている。赤外線透過部材３は、電気絶縁性を有する。本実施形態では、５個の赤外線透過部材３は、５個の赤外線センサ２に一対一に対応する。以下では、５個の赤外線透過部材３のうち中央に位置する赤外線透過部材３を第１赤外線透過部材３１と称し、残りの４個の赤外線透過部材３を第２赤外線透過部材３２と称することもある。
【００１９】
赤外線透過部材３は、赤外線センサ２（の焦電素子）に赤外線透過部材３の外部からの赤外線を集光するマルチレンズを含む。マルチレンズは、複数（例えば、数十個）のレンズを有する。第１赤外線透過部材３１では、マルチレンズにおける複数のレンズの各々は、集光レンズであり、凸レンズにより構成されている。複数のレンズの各々を構成する凸レンズは、非球面レンズである。第２赤外線透過部材３２では、マルチレンズにおける複数のレンズの各々は、集光レンズであり、凸レンズにより構成されている。複数のレンズの各々は、フレネルレンズである。
【００２０】
第１赤外線透過部材３１は、図２に示すように、有底円筒状であり、その底壁にマルチレンズが形成されている。第１赤外線透過部材３１の側壁には、第１赤外線透過部材３１をハウジング４に取り付けるための４つのフックが形成されている。第２赤外線透過部材３２の各々は、図２に示すように、有底箱状であり、その底壁にマルチレンズが形成されている。第２赤外線透過部材３２の側壁には、第２赤外線透過部材３２をハウジング４に取り付けるための複数の爪３０が周方向に離れて配置されている。４個の第２赤外線透過部材３２は、第１赤外線透過部材３１の中心線を中心として４回回転対称性を有するように配置されている。
【００２１】
（２．３）ハウジング
ハウジング４は、ハウジング本体５と、化粧カバー８と、を含む。ハウジング本体５は、電源回路モジュールとセンサモジュールとを収容している。化粧カバー８は、複数の赤外線透過部材３それぞれを露出させる複数の窓孔８３を有する。化粧カバー８は、ハウジング本体５に取り付けられている。
【００２２】
ハウジング本体５は、ボディ６と、カバー７と、を含む。ハウジング本体５は、ボディ６とカバー７とを結合して構成されている。ボディ６とカバー７とは、ボディ６の有する複数の結合用突起をカバー７の有する複数の嵌合孔に嵌合させることによって、結合されている。
【００２３】
ボディ６は、合成樹脂成形品である。ボディ６の材料は、例えば、ＡＢＳ樹脂である。ボディ６は、電気絶縁性を有する。ボディ６は、有底筒状である。ボディ６には、電源回路モジュールとセンサモジュールとが収容される。ボディ６におけるカバー７側とは反対の端部には、複数の電線挿入孔が形成されている。電線挿入孔は、電源回路モジュールの端子台の速結端子に接続する電線を挿入するための孔である。端子台は、電源接続用の接続端子、及び負荷接続用の接続端子を有している。負荷は、例えば、照明負荷等である。
【００２４】
カバー７は、合成樹脂成形品である。カバー７の材料は、例えば、ＡＢＳ樹脂である。カバー７は、電気絶縁性を有する。カバー７は、筒部７１と、フランジ部７２と、を含んでいる。フランジ部７２は、筒部７１の軸方向の一端（図２における下端）から外方へ突出している。フランジ部７２の外周形状は円形状である。
【００２５】
化粧カバー８は、合成樹脂成形品である。化粧カバー８の材料は、例えば、ＡＢＳ樹脂である。化粧カバー８は、電気絶縁性を有する。化粧カバー８は、円盤状の前壁８１と前壁８１の周縁から後方に突出している側壁８２と、を含んでいる。化粧カバー８の外周形状は、円形状である。化粧カバー８の側壁８２の内径は、フランジ部７２の外径よりもやや大きい。
【００２６】
化粧カバー８は、ハウジング本体５（のフランジ部７２）に着脱可能に取り付けるための複数（４つ）の係止爪を有している。複数の係止爪は、化粧カバー８の後面に設けられている。化粧カバー８は、複数の係止爪のそれぞれを、フランジ部７２の複数の取付孔に挿入して取付孔の周縁に引っ掛けることによって、フランジ部７２に取り付けられている。
【００２７】
化粧カバー８は、フランジ部７２に取り付けられた状態において、フランジ部７２の外周面、後述するねじ１７の頭部１７１等を覆う。
【００２８】
化粧カバー８では、複数（５つ）の窓孔８３が前壁８１に形成されている。以下では、５つの窓孔８３のうち第１赤外線透過部材３１を露出させる窓孔８３を第１窓孔８３１と称し、第２赤外線透過部材３２を１つずつ露出させる各窓孔８３を第２窓孔８３２と称することもある。第１窓孔８３１は、化粧カバー８の前壁８１の中央部に形成されている。第１窓孔８３１の開口形状は、円形状である。４つの第２窓孔８３２は、第１窓孔８３１を取り囲むように第１窓孔８３１に周方向において等間隔で並んでいる。
【００２９】
（２．４）端子カバー
端子カバー１６は、ボディ６に形成されている複数の電線挿入孔を覆うようにボディ６に着脱可能に取り付けられている。端子カバー１６は、合成樹脂成形品である。端子カバー１６は、電気絶縁性を有する。
【００３０】
（２．５）取付装置
取付装置２０は、ハウジング本体５を取付カバー２００に取り付けるための装置である。取付装置２０は、２つのねじ１７と、２つの挟み金具１８と、２つのブッシュ１９と、を含んでいる。
【００３１】
ねじ１７は、頭部１７１と、雄ねじ部１７２１を含む軸部１７２と、を有している。２つの軸部１７２は、それぞれフランジ部７２の２つ（図示では１つ）のねじ挿通孔７２０に挿通され、ボディ６の側方に位置している。
【００３２】
挟み金具１８は、雄ねじ部１７２１に嵌め合される雌ねじ部１８１を有しており、雄ねじ部１７２１に嵌め合されている。
【００３３】
ブッシュ１９は、軸部１７２を全周に亘って囲んでおり、軸部１７２（における頭部１７１と雄ねじ部１７２１との間の部分）とフランジ部７２のねじ挿通孔７２０との間に介在している。
【００３４】
取付装置２０は、ボディ６の一対の側壁の各々から側方に突出し、ねじ１７の軸部１７２を収納している一対（図示では１つ）の収納部６０を有している。一対の収納部６０の各々において、フランジ部７２側とは反対の端部（図２における上端部）には、ねじ１７の軸部１７２の軸方向に直交する面内で挟み金具１８を回転可能とするスリット６０Ａが形成されている。取付装置２０を用いて赤外線検出装置１００（電気機器３００）を取付カバー２００に取り付ける方法については、後述する「（３）取付カバーの構成」にて説明する。
【００３５】
（２．６）遮光板
遮光板９は、合成樹脂成形品である。遮光板９は、赤外線を遮光する材料により形成されている。遮光板９の材料は、例えば、ポリカーボネートである。遮光板９は、無色透明である。遮光板９は、複数の赤外線透過部材のうち２つの赤外線透過部材３に重なって配置されている。遮光板９は、複数の赤外線透過部材３のうち２つの赤外線透過部材３に跨ってハウジング４（における化粧カバー８）に取り付けられている。
【００３６】
遮光板９は、板状の遮光板本体９１と、遮光板本体９１から突出しており化粧カバー８の後面に引っ掛かっている複数（２つ）の取付爪９２と、を有する。
【００３７】
ここで、化粧カバー８には、各第２窓孔８３２の内周縁に、遮光板９の２つの取付爪９２のうちの１つの取付爪９２を通すことが可能な複数（２つ）の切欠８４が形成されている。各第２窓孔８３２において、２つの切欠８４は、化粧カバー８の周方向に沿った方向において離れている。切欠８４の形状は、化粧カバー８の前面側から見て四角形状である。化粧カバー８の後面における切欠８４の周縁には、遮光板９の取付爪９２が引っ掛かる凹部が形成されている。遮光板９は、２つの取付爪９２が化粧カバー８の２つの凹部に引っ掛かることで、化粧カバー８に取り付けられている。
【００３８】
（２．７）赤外線検出装置の検知エリア
赤外線検出装置１００の検知エリアＡ１は、複数の赤外線センサ２と複数の赤外線透過部材３とを含む赤外線受光ユニットにより決まる。要するに、検知エリアＡ１は、複数の単独検知エリアの合成検知エリアである。単独検知エリアは、複数の赤外線センサ２と複数の赤外線透過部材３との組み合わせにおいて一対一に対応する赤外線センサ２と赤外線透過部材３とにより決まる。赤外線検出装置１００は、例えば、検知エリアＡ１の中心線が鉛直下方に向くように配置して使用されることを想定している。検知エリアＡ１は、四角錐状の３次元領域である。検知エリアＡ１は、中心線に直交する水平面内では正方形状である。検知エリアＡ１の立体角は、例えば、複数の赤外線センサ２と複数の赤外線透過部材３とにより規定される。以下では、遮光板９を外した状態での検知エリアＡ１を赤外線検出装置１００の検知エリアＡ１として説明する。
【００３９】
（３）取付カバーの構成
取付カバー２００は、図１及び図２に示すように、カバー本体２０１と、取付部２０３と、一対の肩部（機器取付部）２０６と、を備えている。カバー本体２０１は、図２に示すように、有底円筒状に形成されている。カバー本体２０１は、赤外線検出装置１００（電気機器３００）を収容可能な大きさである。カバー本体２０１の一方向Ｄ１の第１端（図２における下端）には、開口２０２が設けられている。ここでいう「一方向」は、カバー本体２０１の軸方向（高さ方向）と平行な方向である。開口２０２は、一方向Ｄ１から見て円形状である。カバー本体２０１の一方向Ｄ１の第２端（図２における上端）は、カバー本体２０１の底壁２０３である。つまり、カバー本体２０１は、一方向Ｄ１において電気機器３００の一部が通る開口２０２、及び一方向Ｄ１において開口２０２と対向する底壁２０３を有している。また、本実施形態では、底壁２０３には、造営材４００が取り付けられる。つまり、底壁２０３は、取付部２０３である。
【００４０】
一対の肩部２０６は、一方向Ｄ１に長い直方体状であって、カバー本体２０１の側壁と一体に形成されている。具体的には、一対の肩部２０６は、カバー本体２０１の側壁の内周面から、一方向Ｄ１から見たカバー本体２０１の径方向Ｄ２（以下、単に「径方向Ｄ２」ともいう）に沿って、内向きに突出している。また、一対の肩部２０６は、径方向Ｄ２において対向している。具体的には、一対の肩部２０６は、カバー本体２０１に設けられて、一方向Ｄ１から見てカバー本体２０１の中心Ｃ１（以下、単に「中心Ｃ１」ともいう）を挟んで対向している。一対の肩部２０６の間の距離は、ハウジング４におけるフランジ部７２の直径よりも小さく、一対の肩部２０６の間にボディ６を通すことが可能な長さである。また、一対の肩部２０６の一方向Ｄ１での長さ（高さ）は、フランジ部７２と挟み金具１８との間の距離よりも僅かに長い。一対の肩部２０６の第１面（図２における下面）には、それぞれ突起部２０７が設けられている。一対の突起部２０７は、それぞれフランジ部７２の後面に設けられた一対の凹部に嵌め合わせることが可能な大きさで形成されている。
【００４１】
図１に示すように、底壁２０３の中央には、一方向Ｄ１から見て矩形状の電線挿入孔２０５が設けられている。電線挿入孔２０５は、底壁２０３の厚さ方向に貫通しており、複数本の電線ＣＡ１（図４〜図６参照）を通すことが可能な大きさである。底壁２０３における電線挿入孔２０５の周囲には、複数（ここでは、１２個）の取付孔２０４が設けられている。複数の取付孔２０４は、いずれも底壁２０３の厚さ方向に貫通しており、取付ねじ５００（図４〜図６参照）を挿入可能な大きさである。ここで、取付ねじ５００は、底壁２０３を造営材４００にねじ止めするためのねじ、つまり、カバー本体２０１を造営材４００に取り付けるためのねじである。
【００４２】
ここで、複数の取付孔２０４のうち、カバー本体２０１の中心Ｃ１を挟んで対向する一対の取付孔２０４を「取付孔群」と称する。つまり、底壁（取付部）２０３は、カバー本体２０１の中心を挟んで対向し、取付ねじ５００が挿入される一対の取付孔２０４からなる取付孔群を有している。本実施形態では、底壁２０３は、６つの取付孔群２０Ａ，２０Ｂ，２０Ｃ，２０Ｄ，２０Ｅ，２０Ｆを有している。取付孔群２０Ａ，２０Ｂは、第２直線Ｌ２上に位置している。取付孔群２０Ｃ，２０Ｄは、第３直線Ｌ３上に位置している。取付孔群２０Ｅは、第４直線Ｌ４上に位置している。取付孔群２０Ｆは、第１直線Ｌ１上に位置している。
【００４３】
第１直線Ｌ１は、一方向Ｄ１から見て一対の肩部２０６を結ぶ直線である。第２直線Ｌ２は、一方向Ｄ１から見て第１直線Ｌ１と直交する直線である。ここでいう「直交」とは、厳密に互いに直角に交わる場合のみに限定されず、略直交（例えば、第１直線Ｌ１と第２直線Ｌ２とが交差する角度が９０度±５度）であってもよい。第３直線Ｌ３は、一方向から見て第１直線Ｌ１と所定の角度θ１をなす直線である。ここでは、所定の角度θ１は、４５度である。もちろん、所定の角度θ１は、４５度以外の角度であってもよい。第４直線Ｌ４は、一方向Ｄ１から見て第３直線Ｌ３と直交する直線である。ここでいう「直交」も、上記と同様に、略直交であってもよい。
【００４４】
複数の取付孔群２０Ａ，２０Ｂは、径方向Ｄ２に並んでいる。具体的には、図１における中心Ｃ１よりも上側に着目すると、取付孔群２０Ａの取付孔２０４と、取付孔群２０Ｂの取付孔２０４とは、第２直線Ｌ２上に、つまり径方向Ｄ２に並んでいる。図１における中心Ｃ１よりも下側においても同様である。また、取付孔群２０ＡのピッチＰ１と、取付孔群２０ＢのピッチＰ１とは、互いに異なっている。ここでいう「ピッチＰ１」は、一方向から見たカバー本体２０１の周方向Ｄ３（以下、単に「周方向Ｄ３」という）に沿って、任意の取付孔群に属する一対の取付孔２０４の中心線を結ぶことで形成される仮想円の直径である。
【００４５】
複数の取付孔群２０Ｃ，２０Ｄは、径方向Ｄ２に並んでいる。具体的には、図１における中心Ｃ１よりも上側に着目すると、取付孔群２０Ｃの取付孔２０４と、取付孔群２０Ｄの取付孔２０４とは、第３直線Ｌ３上に、つまり径方向Ｄ２に並んでいる。図１における中心Ｃ１よりも下側においても同様である。また、取付孔群２０ＣのピッチＰ１と、取付孔群２０ＤのピッチＰ１とは、互いに異なっている。
【００４６】
複数の取付孔群２０Ａ，２０Ｃ，２０Ｆは、周方向Ｄ３に並んでいる。具体的には、取付孔群２０Ａの一対の取付孔２０４と、取付孔群２０Ｃの一対の取付孔２０４と、取付孔群２０Ｆの一対の取付孔２０４とは、周方向Ｄ３に並んでいる。また、複数の取付孔群２０Ｂ，２０Ｄ，２０Ｅは、周方向Ｄ３に並んでいる。具体的には、取付孔群２０Ｂの一対の取付孔２０４と、取付孔群２０Ｄの一対の取付孔２０４と、取付孔群２０Ｅの一対の取付孔２０４とは、周方向Ｄ３に並んでいる。つまり、周方向Ｄ３に並ぶ２以上の取付孔群２０Ａ，２０Ｃ（又は２０Ｂ，２０Ｄ）は、第２直線Ｌ２上に位置する取付孔群２０Ａ（又は２０Ｂ）と、第３直線Ｌ３上に位置する取付孔群２０Ｃ（又は２０Ｄ）と、を有している。
【００４７】
複数の取付孔２０４は、いずれも周方向Ｄ３に長い長孔である。言い換えれば、周方向Ｄ３に並ぶ２以上の取付孔群２０Ａ，…，２０Ｄのうち１以上の取付孔群において、一対の取付孔２０４は、それぞれ周方向Ｄ３に取付ねじ５００の径よりも長い所定長さＷ１を有している。本実施形態では、全ての取付孔群２０Ａ，…，２０Ｆにおいて、一対の取付孔２０４の各々が周方向Ｄ３に所定長さＷ１を有している。所定長さＷ１は、複数の取付孔群２０Ａ，…，２０Ｆごとに異なっている。
【００４８】
（４）赤外線検出装置の取付カバーへの取付方法
赤外線検出装置１００（電気機器３００）は、以下のようにして取付カバー２００に取り付けることが可能である。まず、一対の挟み金具１８をそれぞれ一対のスリット６０Ａに収めた状態で、赤外線検出装置１００のボディ６を、取付カバー２００の開口２０２に通す。次に、フランジ部７２の後面に設けられた一対の凹部に、取付カバー２００の一対の突起部２０７を嵌め合わせることで、赤外線検出装置１００の取付カバー２００に対する位置決めを行う。そして、例えばドライバー等の治具を用いて一対のねじ１７の各々を締め付ける。これにより、一対の挟み金具１８は、それぞれ一対の肩部２０６に押されることで撓みながら回転し、一対の肩部２０６の一方向Ｄ１の第２面（図２における上面）に接触する。このため、一対の肩部２０６は、一対の挟み金具１８の弾性力を受けながら、それぞれ一対の挟み金具１８とフランジ部７２とで挟まれる。このようにして、赤外線検出装置１００が取付カバー２００に取り付けられる。
【００４９】
（５）取付カバーの造営材への取付方法
取付カバー２００は、以下のようにして造営材４００（図４〜図６参照）に取り付けることが可能である。まず、赤外線検出装置１００（電気機器３００）を外した状態で、取付カバー２００の底壁２０３を造営材４００に押し当てる。このとき、複数の取付孔群２０Ａ，…，２０Ｆのうちのいずれかの取付孔群の一対の取付孔２０４と、造営材４００に設けられた一対の取付孔４０１（図４〜図６参照）とが重なり合うように、取付カバー２００の造営材４００に対する位置を調整する。そして、カバー本体２０１の内側から一対の取付孔２０４及び一対の取付孔４０１にそれぞれ一対の取付ねじ５００を挿入し、一対の取付ねじ５００の各々を締め付ける。これにより、底壁２０３が造営材４００に固定されるので、取付カバー２００が造営材４００に取り付けられる。
【００５０】
その後、「（４）赤外線検出装置の取付カバーへの取付方法」に従って赤外線検出装置１００を取付カバー２００に取り付けることにより、赤外線検出装置１００が取付カバー２００を介して間接的に造営材４００に取り付けられる。
【００５１】
ここで、赤外線検出装置１００（電気機器３００）の取付カバー２００に対する取付位置は１箇所であるが、取付カバー２００の造営材４００に対する取付位置は、調整可能である。具体的には、この取付位置は、例えば周方向Ｄ３に並ぶ２以上の取付孔群２０Ｂ，２０Ｄ，２０Ｅのうちのいずれかの取付孔群を選択したり、取付孔２０４の内側における取付ねじ５００の位置を調整したりすることで、調整可能である。したがって、電気機器３００が取り付けられた取付カバー２００の造営材４００に対する取付位置を調整することにより、結果として、電気機器３００の造営材４００に対する取付位置を調整することが可能である。
【００５２】
以下、赤外線検出装置１００（電気機器３００）の種々の造営材４００への取付例を列挙する。以下では、造営材４００の例として、天井材６００と、第１配管７００と、第２配管８００と、を挙げる。
【００５３】
（５．１）天井材に直付けする場合
まず、図４に示すように、取付カバー２００を天井材６００に取り付ける。具体的には、天井材６００に設けられた一対の取付孔６０１（４０１）と、複数の取付孔群２０Ａ，…，２０Ｆのうちのいずれかの取付孔群の一対の取付孔２０４とを重ね合わせる。そして、カバー本体２０１の内側から一対の取付孔２０４及び一対の取付孔６０１にそれぞれ一対の取付ねじ５００を挿入し、一対の取付ねじ５００の各々を締め付ける。これにより、取付カバー２００が天井材６００に取り付けられる。
【００５４】
このとき、底壁２０３の電線挿入孔２０５には、天井材６００の内側から電線孔６０２を通して引き出した一対の電線ＣＡ１を通し、カバー本体２０１の内部に一対の電線ＣＡ１の各々の一端を臨ませておく。
【００５５】
次に、一対の電線ＣＡ１の各々の一端を赤外線検出装置１００の端子台に接続させた状態で、「（４）赤外線検出装置の取付カバーへの取付方法」に従って赤外線検出装置１００を取付カバー２００に取り付ける。これにより、赤外線検出装置１００が取付カバー２００を介して間接的に天井材６００に取り付けられる。
【００５６】
（５．２）第１配管に取り付ける場合
図５に示すように、第１配管７００は、合成樹脂管（合成樹脂製の電線管）であって、露出ボックス７０１を有している。露出ボックス７０１は、一方向Ｄ１から見て円形状の筒体であって、一方向Ｄ１における一端（図５における下端）が開口している。露出ボックス７０１には、複数（図示では４つ）の電線管７０３が接続されている。露出ボックス７０１の一端縁には、一対の取付孔７０２（４０１）が設けられている。一対の取付孔７０２の中心を結ぶ直線と、複数の電線管７０３の軸方向とは、所定の角度θ１をなしている。
【００５７】
まず、取付カバー２００を第１配管７００に取り付ける。具体的には、露出ボックス７０１の一対の取付孔７０２と、複数の取付孔群２０Ａ，…，２０Ｆのうちの取付孔群２０Ｃ（又は２０Ｄ）の一対の取付孔２０４とを重ね合わせる。そして、カバー本体２０１の内側から一対の取付孔２０４及び一対の取付孔７０２にそれぞれ一対の取付ねじ５００を挿入し、一対の取付ねじ５００の各々を締め付ける。これにより、取付カバー２００が第１配管７００に取り付けられる。
【００５８】
このとき、底壁２０３の電線挿入孔２０５には、複数の電線管７０３のうちのいずれかの電線管７０３の内側から引き出した一対の電線ＣＡ１を通し、カバー本体２０１の内部に一対の電線ＣＡ１の各々の一端を臨ませておく。
【００５９】
次に、一対の電線ＣＡ１の各々の一端を赤外線検出装置１００の端子台に接続させた状態で、「（４）赤外線検出装置の取付カバーへの取付方法」に従って赤外線検出装置１００を取付カバー２００に取り付ける。これにより、赤外線検出装置１００が取付カバー２００を介して間接的に第１配管７００に取り付けられる。
【００６０】
（５．３）第２配管に取り付ける場合
図６に示すように、第２配管８００は、金属線ぴであり、特に一種金属線ぴに該当するメタルモールである。第２配管８００は、露出ボックス８０１を有している。露出ボックス８０１は、一方向Ｄ１から見て円形状の筒体であって、一方向Ｄ１における一端（図６における下端）が開口している。露出ボックス８０１には、複数（図示では２つ）の線ぴ８０３が接続されている。露出ボックス８０１の一端縁には、一対の取付孔８０２（４０１）が設けられている。一対の取付孔８０２の中心を結ぶ直線と、複数の線ぴ８０３の軸方向とは、平行である。
【００６１】
まず、取付カバー２００を第２配管８００に取り付ける。具体的には、露出ボックス８０１の一対の取付孔８０２と、複数の取付孔群２０Ａ，…，２０Ｆのうちの取付孔群２０Ａ（又は２０Ｂ）の一対の取付孔２０４とを重ね合わせる。そして、カバー本体２０１の内側から一対の取付孔２０４及び一対の取付孔８０２にそれぞれ一対の取付ねじ５００を挿入し、一対の取付ねじ５００の各々を締め付ける。これにより、取付カバー２００が第２配管８００に取り付けられる。
【００６２】
このとき、底壁２０３の電線挿入孔２０５には、複数の線ぴ８０３のうちのいずれかの線ぴ８０３の内側から引き出した一対の電線ＣＡ１を通し、カバー本体２０１の内部に一対の電線ＣＡ１の各々の一端を臨ませておく。
【００６３】
次に、一対の電線ＣＡ１の各々の一端を赤外線検出装置１００の端子台に接続させた状態で、「（４）赤外線検出装置の取付カバーへの取付方法」に従って赤外線検出装置１００を取付カバー２００に取り付ける。これにより、赤外線検出装置１００が取付カバー２００を介して間接的に第２配管８００に取り付けられる。
【００６４】
ここで、種々の造営材４００においては、造営材４００ごとに一対の取付孔４０１の間の距離が異なっている。本実施形態では、一対の取付孔４０１の間の距離に応じて、径方向Ｄ２に並ぶ複数の取付孔群２０Ａ，２０Ｂ（又は２０Ｃ，２０Ｄ）から一の取付孔群を選択することで、取付カバー２００を種々の造営材４００に取り付けることが可能である。つまり、本実施形態では、造営材４００の種類を問わずに取付カバー２００を造営材４００に取り付け易く、赤外線検出装置１００（電気機器３００）の造営材４００に対する取り付けの自由度を向上することができる、という利点がある。
【００６５】
また、本実施形態では、取付カバー２００は、周方向Ｄ３に並ぶ２以上の取付孔群２０Ａ，２０Ｃ，２０Ｆ（又は２０Ｂ，２０Ｄ，２０Ｅ）を有している。このため、本実施形態では、２以上の取付孔群２０Ａ，２０Ｃ，２０Ｆ（又は２０Ｂ，２０Ｄ，２０Ｅ）から一の取付孔群を選択することで、取付カバー２００の造営材４００に対する取付位置を周方向Ｄ３に沿って調整することが可能である。
【００６６】
更に、本実施形態では、全ての取付孔群２０Ａ，…，２０Ｆの各々において、一対の取付孔２０４は、周方向Ｄ３に所定長さＷ１を有する長孔である。このため、本実施形態では、一対の取付孔２０４の各々に取付ねじ５００を挿入した状態で、取付カバー２００を周方向Ｄ３に沿って回転させることで、取付カバー２００の造営材４００に対する取付位置を周方向Ｄ３に沿って微調整することが可能である。
【００６７】
ここで、赤外線検出装置（人検知センサ）１００の検知エリアＡ１は、図３に示すように、中心線に直交する水平面内では正方形状（つまり、一方向Ｄ１から見て多角形状）である。このため、赤外線検出装置１００を用いて所定エリアＡ２での人の存否を検知したい場合には、検知エリアＡ１の中心軸と、所定エリアＡ２の中心軸とを一致させるだけではなく、検知エリアＡ１の角部と、所定エリアＡ２の角部とを一致させる必要がある。本実施形態では、上述のように、取付カバー２００の造営材４００に対する取付位置を周方向Ｄ３に沿って調整可能であるため、検知エリアＡ１を所定エリアＡ２に一致させ易い。このように、本実施形態では、赤外線検出装置１００の造営材４００に対する取り付けの自由度、つまりは検知エリアＡ１の調整の自由度を向上することができる、という利点がある。
【００６８】
（６）変形例
上述の実施形態は、本開示の様々な実施形態の一つに過ぎない。上述の実施形態は、本開示の目的を達成できれば、設計等に応じて種々の変更が可能である。以下、上述の実施形態の変形例を列挙する。以下に説明する変形例は、適宜組み合わせて適用可能である。
【００６９】
上述の実施形態では、周方向Ｄ３に並ぶ２以上の取付孔群２０Ａ，…，２０Ｄのうち１以上の取付孔群において、一対の取付孔２０４は、それぞれ周方向Ｄ３に所定長さＷ１を有する長孔であるが、これに限定する趣旨ではない。例えば図７に示すように、取付孔群２０Ａ，…，２０Ｄの各々において、一対の取付孔２０４（図示では１つ）は、それぞれ一方向Ｄ１から見て、周方向Ｄ３に並ぶ複数の孔２０８を有していてもよい。図７に示す例では、取付孔群２０Ａ，２０Ｃの取付孔２０４は、周方向Ｄ３に並ぶ４つの孔２０８により構成されている。また、取付孔群２０Ｂ，２０Ｄの取付孔２０４は、周方向Ｄ３に並ぶ５つの孔２０８により構成されている。この態様では、複数の孔２０８のうちのいずれの孔２０８に取付ねじ５００を挿入するかを選択することで、取付カバー２００の造営材４００に対する取付位置を周方向Ｄ３に沿って調整することが可能である。
【００７０】
図７に示す例では、取付孔群２０Ａ，…，２０Ｄの全てにおいて、一対の取付孔２０４が複数の孔２０８を有する構成となっているが、これに限定する趣旨ではない。例えば、取付孔群２０Ａ，…，２０Ｄのうち少なくとも１つの取付孔群において、一対の取付孔２０４が複数の孔２０８を有する構成であってもよい。この場合、他の取付孔群においては、一対の取付孔２０４が長孔であってもよい。
【００７１】
上述の実施形態では、例えば取付孔群２０Ａ，２０Ｂのように、径方向Ｄ２には２つの取付孔群が並んでいるが、これに限定する趣旨ではない。例えば、径方向Ｄ２には３つ以上の取付孔群が並んでいてもよい。
【００７２】
上述の実施形態では、例えば取付孔群２０Ａ，２０Ｃ，２０Ｆのように、周方向Ｄ３には３つの取付孔群が並んでいるが、これに限定する趣旨ではない。例えば、周方向Ｄ３には、２つの取付孔群が並んでいてもよいし、４つ以上の取付孔群が並んでいてもよい。
【００７３】
上述の実施形態では、人検知センサ１００は、人の存否を検知する機能を発揮するためのセンサとして赤外線センサ２を有しているが、これに限定する趣旨ではない。例えば、人検知センサ１００は、人の存否を検知する機能を発揮するためのセンサとして画像センサを有していてもよい。
【００７４】
上述の実施形態では、電気機器３００は赤外線検出装置（人検知センサ）１００であるが、これに限定する趣旨ではない。例えば、電気機器３００は、温度センサ等の他のセンサであってもよいし、防犯カメラ等であってもよい。つまり、取付カバー２００には、赤外線検出装置１００以外の電気機器３００が取り付けられてもよい。
【００７５】
上述の実施形態では、電気機器３００は、「（４）赤外線検出装置の取付カバーへの取付方法」に従って取付カバー２００に取り付けられるが、これに限定する趣旨ではない。つまり、取付カバー２００の有する電気機器３００の取付構造は、上述の実施形態における一対の肩部２０６に限定されず、他の取付構造を有していてもよい。
【００７６】
上述の実施形態では、取付カバー２００を取付可能な造営材４００として、天井材６００、第１配管（合成樹脂管）７００、及び第２配管（メタルモール）８００を挙げているが、これらに限定する趣旨ではない。例えば、取付カバー２００は、金属管、二種金属線ぴに該当するレースウェイ等の造営材４００にも取り付けることが可能である。
【００７７】
（まとめ）
以上述べたように、第１の態様に係る電気機器（３００）の取付カバー（２００）は、電気機器（３００）が取り付けられるカバー本体（２０１）と、取付部（２０３）と、を備える。カバー本体（２０１）は、一方向（Ｄ１）において電気機器（３００）の一部が通る開口（２０２）、及び一方向（Ｄ１）において開口（２０２）と対向する底壁（２０３）を有する。取付部（２０３）は、底壁（２０３）であって、造営材（４００）に取り付けられる。取付部（２０３）は、一対の取付孔（２０４）からなる取付孔群（２０Ａ，…，２０Ｄ）を有している。一対の取付孔（２０４）は、一方向（Ｄ１）から見てカバー本体（２０１）の中心（Ｃ１）を挟んで対向し、カバー本体（２０１）を造営材（４００）に取り付けるための取付ねじ（５００）が挿入される。取付孔群（２０Ａ，…，２０Ｄ）は複数である。複数の取付孔群（２０Ａ，…，２０Ｄ）は、一方向（Ｄ１）から見て、カバー本体（２０１）の径方向（Ｄ２）に並んでいる。
【００７８】
この態様によれば、電気機器（３００）の造営材（４００）に対する取り付けの自由度を向上することができる、という利点がある。
【００７９】
第２の態様に係る電気機器（３００）の取付カバー（２００）は、第１の態様において、以下のように構成されている。すなわち、複数の取付孔群（２０Ａ，…，２０Ｄ）のうち２以上の取付孔群（２０Ａ，…，２０Ｄ）は、一方向（Ｄ１）から見て、カバー本体（２０１）の周方向（Ｄ３）に並んでいる。
【００８０】
この態様によれば、カバー本体（２０１）の造営材（４００）に対する取付位置を、一方向（Ｄ１）から見たときのカバー本体（２０１）の周方向（Ｄ３）において調整できる、という利点がある。
【００８１】
第３の態様に係る電気機器（３００）の取付カバー（２００）は、第２の態様において、一対の機器取付部（肩部）（２０６）を更に備える。一対の機器取付部（２０６）は、カバー本体（２０１）に設けられて、一方向（Ｄ１）から見てカバー本体（２０１）の中心（Ｃ１）を挟んで対向する。２以上の取付孔群（２０Ａ，…，２０Ｄ）は、一方向（Ｄ１）から見て一対の機器取付部（２０６）を結ぶ第１直線（Ｌ１）と直交する第２直線（Ｌ２）上に位置する取付孔群（２０Ａ，２０Ｂ）を有する。また、２以上の取付孔群（２０Ａ，…，２０Ｄ）は、一方向（Ｄ１）から見て第１直線（Ｌ１）と所定の角度（θ１）をなす第３直線（Ｌ３）上に位置する取付孔群（２０Ｃ，２０Ｄ）と、を有する。
【００８２】
この態様によれば、カバー本体（２０１）の造営材（４００）に対する取付位置を、一方向（Ｄ１）から見たときのカバー本体（２０１）の周方向（Ｄ３）において調整できる、という利点がある。
【００８３】
第４の態様に係る電気機器（３００）の取付カバー（２００）では、第２又は第３の態様において、２以上の取付孔群（２０Ａ，…，２０Ｄ）のうち１以上の取付孔群（２０Ａ，…，２０Ｄ）において、一対の取付孔（２０４）は、以下のように構成されている。すなわち、一対の取付孔（２０４）は、それぞれ一方向（Ｄ１）から見て、カバー本体（２０１）の周方向（Ｄ３）に取付ねじ（５００）の径よりも長い所定長さ（Ｗ１）を有している。
【００８４】
この態様によれば、カバー本体（２０１）の造営材（４００）に対する取付位置を、一方向（Ｄ１）から見たときのカバー本体（２０１）の周方向（Ｄ３）において調整できる、という利点がある。
【００８５】
第５の態様に係る電気機器（３００）の取付カバー（２００）は、第２又は第３の態様において、以下のように構成されている。すなわち、２以上の取付孔群（２０Ａ，…，２０Ｄ）のうち１以上の取付孔群（２０Ａ，…，２０Ｄ）において、一対の取付孔（２０４）は、それぞれ複数の孔（２０８）を有している。複数の孔（２０８）は、一方向（Ｄ１）から見て、カバー本体（２０１）の周方向（Ｄ３）に並んでいる。
【００８６】
この態様によれば、カバー本体（２０１）の造営材（４００）に対する取付位置を、一方向（Ｄ１）から見たときのカバー本体（２０１）の周方向（Ｄ３）において調整できる、という利点がある。
【００８７】
第６の態様に係る電気機器（３００）は、第１〜第５のいずれかの態様の電気機器（３００）の取付カバー（２００）に取り付けられる。
【００８８】
この態様によれば、電気機器（３００）の造営材（４００）に対する取り付けの自由度を向上することができる、という利点がある。
【００８９】
第７の態様に係る人検知センサ（赤外線検出装置）（１００）は、第１〜第５のいずれかの態様の電気機器（３００）の取付カバー（２００）に取り付けられる電気機器である。人検知センサ（１００）は、検知エリア（Ａ１）内における人の存否を検知する機能を備える。検知エリア（Ａ１）は、一方向（Ｄ１）から見て多角形状である。
【００９０】
この態様によれば、人検知センサ（１００）の造営材（４００）に対する取り付けの自由度、つまりは検知エリア（Ａ１）の調整の自由度を向上することができる、という利点がある。
【００９１】
第２〜第５の態様に係る構成については、電気機器（３００）の取付カバー（２００）に必須の構成ではなく、適宜省略可能である。
【符号の説明】
【００９２】
１００  赤外線検出装置（人検知センサ）
２００  取付カバー
２０１  カバー本体
２０２  開口
２０３  底壁（取付部）
２０４  取付孔
２０６  肩部（機器取付部）
２０８  孔
２０Ａ，…，２０Ｄ  取付孔群
３００  電気機器
４００  造営材
５００  取付ねじ
Ａ１  検知エリア
Ｃ１  中心
Ｄ１  一方向
Ｄ２  径方向
Ｄ３  周方向
Ｌ１  第１直線
Ｌ２  第２直線
Ｌ３  第３直線
Ｗ１  所定長さ
θ１  所定の角度
【図１】
2019046946.tif 000003
【図２】
2019046946.tif 000004
【図３】
2019046946.tif 000005
【図４】
2019046946.tif 000006
【図５】
2019046946.tif 000007
【図６】
2019046946.tif 000008
【図７】
2019046946.tif 000009